(57)【要約】【課題】  パネル表面に別のパネル側端面を当接してＴ字状となる３ウェイ方式に連結する連結構造の提供。【解決手段】  パネルの少なくとも上端と下端及び両側端には補強桟を設け、奥行きパネル３の側端には上下方向に凹溝６を連続して形成し、この凹溝６に連結金具７，８，９を嵌めて取付け、そして、正面パネル４の表面には上補強桟１０、中補強桟１１、下補強桟１２に連結ネジ１３，１３・・を螺着し、連結金具に設けたツメを上補強桟１０と下補強桟１２に差し込むと共に止着部１５を凹溝底にネジ止めし、そして、上記連結ネジ１３の頭部３０を連結金具の係合溝に係合して連結している。【選択図】    図２
2010174497.tif 000002
【特許請求の範囲】
【請求項１】
パネル表面に別のパネル側端面を当接してＴ字状となる３ウェイ方式に連結する連結構造において、パネルの少なくとも上端と下端及び両側端には補強桟を設け、パネル側端には上下方向に凹溝を連続して形成し、この凹溝に連結金具を嵌めて取付け、そして、パネル表面には上記補強桟に所定の間隔をおいて頭部とツバを有す連結ネジを螺着し、上記連結金具は突出部と止着部から成り、該突出部は縦片と上片及び下片を有し、縦片には上下方向に延びて頭部外径より狭い係合溝とその端部に頭部が挿入される開口を有し、上片の先端をパネル上端及び下端に止着すると共に止着部を凹溝底にネジ止めし、そして、上記連結ネジを係合溝に係合して連結したことを特徴とするパネルの３ウェイ方式連結構造。
【請求項２】
パネル表面に別のパネル側端面を当接してＴ字状となる３ウェイ方式に連結する連結構造において、パネルの上端、下端、中間部、及び両側端には補強桟を設け、パネル側端には上下方向に凹溝を連続して形成し、この凹溝に連結金具を嵌めて取付け、そして、パネル表面には上記補強桟に所定の間隔をおいて頭部とツバを有す連結ネジを螺着し、パネル上端と下端に取付けられる上記連結金具は突出部と止着部から成り、該突出部は縦片と上片及び下片を有し、又、パネル中間部に取付けられる連結金具は突出部と両止着部から成り、該突出部は縦片と上片及び下片を有し、縦片には上下方向に延びて頭部外径より狭い係合溝とその端部に頭部が挿入される開口を有し、パネル上端部とパネル下端部に取付けられる連結金具の上片先端をパネル上端と下端に止着すると共に止着部を凹溝底にネジ止めし、中間部に取付けられる連結金具は両止着部を凹溝底にネジ止めし、そして、上記連結ネジを係合溝に係合して連結したことを特徴とするパネルの３ウェイ方式連結構造。
【請求項３】
パネル表面に別のパネル側端面を当接してＴ字状となる３ウェイ方式に連結する連結金具において、上記連結金具は突出部と止着部から成り、該突出部は縦片と上片及び下片を有し、そして縦片には上下方向に延びてパネル表面に固定される連結ネジの頭部外径より狭い係合溝とその端部に上記頭部が挿入される開口を有したことを特徴とする連結金具。
【発明の詳細な説明】
【技術分野】
【０００１】
本発明はパネルを３ウェイ方式（Ｔ型）に連結して据付けする場合のパネル連結構造及び連結金具に関するものである。ここで、３ウェイ方式とは一方のパネルを挟んで両側に他方のパネルを垂直に配置して十型を構成する連結形態になる場合も含める。
【背景技術】
【０００２】
図８は従来から用いられている３ウェイ方式の連結構造であり、パネル（イ）に対してパネル（ロ）はその側端が当接し、互いに垂直を成して連結している。そして同図に示すごとくパネル（ロ）の側端面には凹溝（ハ）が形成され、該凹溝（ハ）内には連結金具（ニ）が嵌着・固定され、連結金具（ニ）にはパネル（イ）側に固定した連結ネジ（ホ）の頭部が係止された状態で連結される。
【０００３】
図９も従来の連結構造を示した場合であり、コ形断面の連結金具（ヘ）が用いられ、該連結金具（ヘ）はパネル（イ）の表面に固定されている。そして、パネル（ロ）の側端部がコ形断面の連結金具（ヘ）に嵌って両表面側からネジ止めされている。これらの従来のパネル連結構造はネジ止めして構成されているが、パネルの据付け作業時に多数のネジを締め付けて連結するのではその作業性は悪い。
【０００４】
そこで、パネルの連結作業の効率化を図る為に、図４に示すような連結金具を使用し、パネル面に固定した連結ネジの頭部を係合溝２０に係合することでパネルをＴ型に連結している。この連結金具は中央部を凸状に突出した突出部２２を有し、該突出部２２には上記連結ネジの頭部の外径より幅の狭い係合溝２０を上下方向に設け、その係合溝２０の一方には頭部が挿入され得る大きさの開口２１を形成し、開口２１から挿入したネジ頭部が係合溝２０に係合するように構成している。
【０００５】
実公平６−３６０９３号に係る「パネルの３ウェイ方式連結構造」は上記図      ４に示す連結金具が使用されている。
すなわち、パネル表面に別のパネル側端面を当接してＴ字状となる３ウェイ方式に連結する連結構造の場合、上記パネル表面には概略コ字状であって両ガイド片の内側にストッパーを突出した断面の押出し材から成るガイドレールをネジで固定し、該ネジの頭部にはツバと頭を所定間隔をおいて形成し、一方別のパネル側端面には中央部を凸状に突出した突出部を有す連結金具を止着し、該突出部には上記ネジ頭の径より幅の狭い係合溝を上下方向に設け、その係合溝の一方には頭が挿入され得る大きさの開口を形成し、該係合溝にネジの頭を係合した状態で上記ネジと連結金具によって両パネルを連結することが出来る。
【０００６】
図１０はこの連結金具を使用したパネル連結構造を示し、（ａ）は横断面図、（ｂ）は縦断面図を夫々表している。この場合には、上記ガイドレールは用いてないが、パネル（ロ）の側端に形成した凹溝（ト）の３箇所に連結金具（チ）、（チ）・・・がネジ止めされている。そして、パネル（イ）の表面には該連結金具（チ）、（チ）・・・の係合溝２０に係合する連結ネジ（リ）、（リ）・・・頭部（ヌ）、（ヌ）・・・が係合している。パネル（ロ）の側端には縦補強桟（ル）が設けられている為に、連結金具（チ）、（チ）・・は２本のネジ（オ）、（オ）・・・にて固定され、連結ネジ（リ）、（リ）・・・はパネル（イ）に設けた横補強桟（ワ）、（ワ）・・・に固定されている。
【０００７】
すなわち、連結ネジ（リ）、（リ）・・・をパネル（イ）に固定する為には、横補強桟が必要となる。しかも、連結金具（チ）の形状が突出部２２の上下に止着部２３，２３を有していることから、上端と下端の設けている横補強桟（ワ）、（ワ）を利用することが出来ない。従って、同図に示すように上端の横補強桟（ワ）の下側と下端の横補強桟（ワ）の上側に連結ネジ（リ）、（リ）を固定する為の横補強桟（ワ）、（ワ）を特別に設けなくてはならず、その為にパネル（イ）のコストは高くなる。
【０００８】
一方、パネル（ロ）の側端凹溝（ト）に１個の連結金具（チ）を固定する為に、２本のネジ（オ）、（オ）が必要となり、連結金具（チ）のネジ止め作業が面倒であると共に、その位置決めが容易でない。
【特許文献１】実公平６−３６０９３号に係る「パネルの３ウェイ方式連結構造」
【発明の開示】
【発明が解決しようとする課題】
【０００９】
このように、従来型式のパネル連結構造では上記のような問題がある。本発明が解決使用とする課題はこの問題点であり、連結作業を効率よく行うことが出来、しかもパネルに特別な横補強桟を必要としないパネル連結構造及び連結金具を提供する。
【課題を解決するための手段】
【００１０】
本発明に係るパネル連結構造は、連結形態がＴ字状を成す３ウェイ方式であって、一方のパネルに対して他方のパネルが垂直を成して連結する構造である。そこで、他方のパネル側端には連結金具が固定され、該連結金具は一方のパネル表面に螺着した連結ネジと係合するように構成される。上記連結金具はパネル上端と下端、及び必要に応じて中間部にも取付ける。パネル側端には連続した凹溝が設けられ、この凹溝に連結金具が嵌って固定される。そして、連結ネジは連結金具と係合する為に、上補強桟、下補強桟、及び必要に応じて中間部に設けられた中補強桟に螺着される。
【００１１】
ところで、上記連結金具は突出部の一方に外方向へ延びる止着部を有し、突出部は縦片と上片及び下片から成っている。そして、突出部の縦片には従来の連結金具と同じように係合溝を形成し、該係合溝の一方端には連結ネジの頭部が挿入される開口を設けている。上記上片の先端はパネル上端及び下端に設けている補強桟に固定され、止着部は凹溝底にネジ止めされる。
【００１２】
ただし、中間部に取付けられる連結金具は従来と同じく突出部の上下方向に止着部を延ばした形状と成っている。そして連結ネジは補強桟に螺着するネジ部とツバ、及び頭部から成っており、頭部とツバは連結部を介して所定の間隔を隔てている。ところで、該連結金具は凹溝に嵌って固定されるが、上片とパネル上端との固定手段は限定しないことにする。
【発明の効果】
【００１３】
本発明の連結金具は突出部の一方に上片を有すと共に他方側には止着部を延ばした形状としている。従って、この連結金具はパネル上端と下端に取付けられるが、この際に上片を補強桟に連結すると共に止着部をネジ止めして固定することが出来、従来のように２本のネジで固定する場合に比較して作業性が良く簡単である。
【００１４】
そして、パネル上端と下端に設けられる補強桟が連結金具を固定する為に利用することが出来、パネル構造も簡素化されて安く製造される。さらに、連結金具の高さ方向の位置決めが簡単に行われ、連結ネジの頭部が連結金具の突出部縦片に形成した係合溝に正しく係合することが出来、ひいてはパネルの連結が安定する。又、パネル中間部には従来の連結金具を必要に応じて取付けることが出来る。
【実施例】
【００１５】
図１はトイレブースを示す平面図であり、間仕切りパネルによって仕切られて３ヶ所にトイレブース１ａ，１ｂ，１ｃが配列して構成されている。壁面２から奥行きパネル３，３・・が垂直に配置され、この奥行きパネル３，３・・に対して正面パネル４，４・・が据付けられている。そして、正面側には隣り合う正面パネル４，４・・の間にはドア２７，２７・・が開閉可能に取付けられている。
【００１６】
図２は図１のＡ部における横断面拡大図と縦断面拡大図を表している。すなわち、奥行きパネル３と正面パネル４の連結構造を示す本発明の実施例である。奥行きパネル３の側端には縦補強桟５が設けられ、この縦補強桟５には凹溝６が上下方向に連続して形成されている。そして、該凹溝６には連結金具７、連結金具８、及び連結金具９が嵌って取付けられている。
【００１７】
正面パネル４には上補強桟１０、中補強桟１１、及び下補強桟１２を有し、これら各補強桟１０，１１，１２には連結ネジ１３，１３・・が螺着している。ところで、奥行きパネル３と正面パネル４とは上記連結金具７，８，９と連結ネジ１３，１３・・・を互いに係合させることで連結される。
【００１８】
図３（ａ）、（ｂ）は奥行きパネル３の上端に取付けられている上記連結金具７を示す具体例である。この連結金具７は一定幅の金属板を打抜き・曲げ成形により製作されており、同図（ａ）に示す連結金具７は突出部１４、止着部１５、及び２本のツメ１６，１６を有し、該突出部１４は縦片１７、上片１８、下片１９から成り、止着部１５は下片１９の先端から屈曲して下方へ延びている。
【００１９】
又、２本のツメ１６，１６は上片１８の先端に設けられて下方へ突出している。ここで、上片１８は下片１９より幾分長く成っていて、しかも縦片１７は止着部１５とほぼ平行に延びている。そして、縦片１７には係合溝２０を上下方向に形成し、係合溝２０の下端部には開口２１を有している。同じく、同図（ｂ）に示す連結金具７は、その概略形状は（ａ）に示す場合と共通しているが、上片１８の先端には比較的大きなツメ１６を一本設けている。縦片１７には係合溝２０を有し、下端部には開口２１を形成している。
【００２０】
図４は中間部に取付けられる連結金具８を示す具体例である。この連結金具８は従来から使用されており、突出部２２の上下に止着部２３，２３を有し、突出部２２は縦片２４と上片２５及び下片２６から成り、縦片２４には係合溝２０を有し、該係合溝２０の下端部には開口２１を形成している。
【００２１】
奥行きパネル３の下端に取付けられる連結金具９の形状は、上記連結金具７とほぼ同じ形状であるが、縦片１１の長さは短くしている。そして、上片１８を下方に位置させて取付けられ、しかも、縦片１１に形成される係合溝２０の下端部に開口２１を設けている。
【００２２】
ところで、これら連結金具７，８，９は前記図２に示すように取付けられるが、連結金具７は上片１８の先端に設けているツメ１６，１６を上補強桟１０の上面に差込み、そして止着部１５は凹溝底にネジ止めして固定される。ここで、縦片１７は止着部１５とほぼ平行であるが、必要に応じて僅かに傾斜させて上片側を凹溝６内に入り込むこともある。連結金具８は止着部２３，２３を凹溝６の底にネジ止めして取付けられている。そして、連結金具９は上片１８を下側に向けて先端のツメ１６，１６を下補強桟１２の下面に差込み、止着部１５を凹溝底にネジ止めして固定されている。
【００２３】
図５は連結ネジ１３を示している具体例である。この連結ネジ１３はネジ部２８とツバ２９、及び頭部３０を有し、正面パネル４の表面にネジ止めされる。ツバ２９は表面に当り、該ツバ２９から連結部３１が延びることで頭部３０はパネル表面から一定距離をおいて突出している。ところで、連結ネジ１３は上補強桟１０、中補強桟１１、及び下補強桟１２にネジ止めされる。
【００２４】
そこで、床面に対して垂直に起立している奥行きパネル３に対して正面パネル４は垂直に連結されるが、連結金具７，８，９の縦片１７、２４に形成した開口２１に連結ネジ１３の頭部３０を挿入し、正面パネル４を持ち上げる。そうすれば、頭部３０とツバ２９の間に形成している連結部３１が係合溝２０に沿って上昇し、その為に頭部３０は係合溝２０から外れることはない。しかも、縦片１７を上方が凹溝６へ入り込む方向に僅かに傾斜させるならば、頭部３０は奥行きパネル３側へ引かれて正面パネル４は側端面に密着するようになる。
【００２５】
図６は本発明に係る連結金具７を示す他の実施例である。基本形態は前記図３の連結金具７と同じであって、突出部１４と止着部１５を有しているが、突出部１４の上片１８を奥行きパネル３の上端に固定する手段が違っている。すなわち、上片１８の先端にはツメ１６の代わりに止着部側へ延びる嵌合片３２を形成している。そこで、奥行きパネル３の上端には嵌合穴が設けられており、この嵌合穴に嵌合片３２が嵌って固定される。
【００２６】
図７は連結金具７を示す別形態である。この連結金具７の場合には上片１８の先端に小さな穴３３が貫通して設けられ、この穴３３を通して上片１８は奥行きパネル３の上端にネジ止めすることが出来る。
【図面の簡単な説明】
【００２７】
【図１】パネルにて仕切られるトイレブース。
【図２】図１のＡ部における横断面拡大図と縦断面拡大図。
【図３】連結金具の具体例。
【図４】連結金具の具体例。
【図５】連結ネジの具体例。
【図６】連結金具の具体例。
【図７】連結金具の具体例。
【図８】従来のパネル連結構造。
【図９】従来のパネル連結構造。
【図１０】従来のパネル連結構造。
【符号の説明】
【００２８】
１  トイレブース
２  壁面
３  奥行きパネル
４  正面パネル
５  縦補強桟
６  凹溝
７  連結金具
８  連結金具
９  連結金具
10  上補強桟
11  中補強桟
12  下補強桟
13  連結ネジ
14  突出部
15  止着部
16  ツメ
17  縦片
18  上片
19  下片
20  係合溝
21  開口
22  突出部
23  止着部
24  縦片
25  上片
26  下片
27  ドア
28  ネジ部
29  ツバ
30  頭部
31  連結部
32  嵌合片
33  穴
【図１】
2010174497.tif 000003
【図２】
2010174497.tif 000004
【図３】
2010174497.tif 000005
【図５】
2010174497.tif 000006
【図６】
2010174497.tif 000007
【図７】
2010174497.tif 000008
【図８】
2010174497.tif 000009
【図９】
2010174497.tif 000010
【図１０】
2010174497.tif 000011
【図４】
2010174497.tif 000012